(57)【要約】      （修正有）【課題】照明本体の外縁にシェードを設置し、応用範囲を広げ、さまざまなニーズを満たすと共に、照明本体の内縁表面に反射処理を行い、ＬＥＤ発光体の発生する輝度を効果的に高めた、ＬＥＤ照明装置を提供する。【解決手段】照明本体１を含み、該照明本体の構造は円弧状のカバー体であり、該照明本体内にＬＥＤ発光体収容部１１を設け、ＬＥＤ発光体２を収容し、前記照明本体の底部にランプ座体３を設置し、該ランプ座体は金属材質から成り、前記ＬＥＤ発光体が発生する熱エネルギーを該ランプ座体が放熱して排出できる様構成する。前記ランプ座体上にネジ孔３１を設け、前記照明本体と前記ＬＥＤ発光体をネジ部材で該ランプ座体上に固定し、さらに該ランプ座体外縁にランプ座体固定孔３２を設け、照明装置を応用環境中に固定する。前記照明本体の上端または外縁に別途カバー４を設置する。【選択図】図１
0003152915.tif 000002
【実用新案登録請求の範囲】
【請求項１】
ＬＥＤ照明装置であって、照明本体とランプ座体を含み、
前記照明本体は底部に発光体収容部が設けられ、ＬＥＤ発光体を収容して設置することができ、
前記ランプ座体は前記照明本体の底部に設置され、金属材質から成り、さらに前記ランプ座体上に、前記照明本体を前記ランプ座体上に固定するためのネジ孔が設けられ、前記ランプ座体の外縁に、前記照明装置の固定に使用するためのランプ座体固定孔が環状に設けられたことを特徴とする、ＬＥＤ照明装置。  
【請求項２】
前記照明本体が円弧状のカバー体であることを特徴とする、請求項１に記載のＬＥＤ照明装置。
【請求項３】
前記照明本体の内縁に反射処理を実施できることを特徴とする、請求項１または２に記載のＬＥＤ照明装置。  
【請求項４】
前記反射処理が、ブラストまたは電気めっき処理とできることを特徴とする、請求項３に記載のＬＥＤ照明装置。
【請求項５】
前記照明本体の上端外縁に凹槽を周設し、前記凹槽にカバーを取り付けたことを特徴とする、請求項４に記載のＬＥＤ照明装置。
【請求項６】
前記ＬＥＤ発光体がチップ構造形式であることを特徴とする、請求項５に記載のＬＥＤ照明装置。
【請求項７】
前記照明本体の外部をシェードで覆ったことを特徴とする、請求項６に記載のＬＥＤ照明装置。
【考案の詳細な説明】
【技術分野】
【０００１】
本考案はＬＥＤ照明装置に関し、特に、照明の効果を達成できるほか、さまざまな使用環境に応用できる、ＬＥＤ照明装置に関する。
【背景技術】
【０００２】
早期市場で広く使用されている照明装置、投射灯は、多くがハロゲン投射電球を採用している。ハロゲン投射電球は照明の目的を達することができるものの、その電力消費量が大きく、発熱しやすく、かつ使用寿命が短い等の多くの欠点があり、二酸化炭素排出量削減が強調される現在、ハロゲン電球はすでに淘汰された製品となっている。
【０００３】
科学技術の進歩に伴い、現在多くの業者がＬＥＤ（Ｌｉｇｈｔ Ｅｍｉｔｔｉｎｇ Ｄｉｏｄｅｓ）を代わりに照明光源として用いた投射照明装置を研究開発しており、ＬＥＤを利用すると、電力消費量が小さい等の特性により従来のハロゲン投射電球の欠点を改善できる。しかしながら、ＬＥＤ照明装置のＬＥＤユニットは、省エネ、環境保護、使用寿命が長い等多くの利点があるが、一般のＬＥＤランプの耐熱性は従来のハロゲン投射電球に比べ低く、その放熱効果も優れないため、ＬＥＤランプの使用温度が許容設定値を容易に超過してしまい、輝度の減衰を引き起こし、予期した効果を達することができない。このほか、ＬＥＤ照明装置は現在従来のハロゲン投射電球を完全に代替するには輝度においてやや不足があるため、いかにＬＥＤの照明輝度を増加するかが現在多くの業者が克服を試みている問題である。
【０００４】
本考案の考案者は上述の従来品に派生する各欠点に鑑みて改良を加え、かつ長年の研究を経てついに本考案のＬＥＤ照明装置の開発に成功した。
【考案の概要】
【考案が解決しようとする課題】
【０００５】
本考案の目的は、照明本体の外縁にシェードを設置し、吊り下げ式照明装置として使用でき、応用範囲を広げ、かつ異なるスタイルのシェードにより、さまざまなニーズを満たすことができる、ＬＥＤ照明装置を提供することにある。
【０００６】
本考案の別の目的は、照明本体の内縁表面に反射処理を行い、ＬＥＤ発光体の発生する輝度を効果的に高めた、ＬＥＤ照明装置を提供することにある。    
【課題を解決するための手段】
【０００７】
本考案のＬＥＤ照明装置は、照明本体、ＬＥＤ発光体、ランプ座体、カバーを含む。
【０００８】
前記照明本体は、円弧状のカバー体を備え、かつ該照明本体の内縁に反射処理を施し、反射の効果を形成してＬＥＤ発光体の照明輝度を高めることができ、さらに前記照明本体の底部にＬＥＤ発光体収容部を設け、前記ＬＥＤ発光体を設置することができ、該照明本体の上端外縁に前記カバーを設置するための凹槽を周設する。
【０００９】
前記ランプ座体は前記照明本体の底部に設置され、かつ該ランプ座体は金属材質から成り、前記ＬＥＤ発光体が発生する熱エネルギーを該ランプ座体が放熱して排出することができ、さらに該ランプ座体上にネジ孔を設け、前記照明本体と前記ＬＥＤ発光体をネジ部材で前記ランプ座体上に固定することができ、該ランプ座体の外縁にランプ座体固定孔を設け、照明装置を応用環境中に固定するために用いることができる。
【００１０】
前記カバーは透明材質から成り、使用者の異なる応用環境に基づいて色を変えることができる。異なる色の透明カバーの設置により、間接的にＬＥＤ発光体が発する光源の色を変化させることができる。
【考案の効果】
【００１１】
使用者が操作して使用するとき、前記ランプ座体を壁面上に固定し、同時に前記照明本体の内縁表面の反射処理により前記ＬＥＤ発光体の発生する光源の輝度を高め、使用者の照明のニーズを満たすことができる。
【００１２】
本考案は上述の使用のほか、前記照明本体の外縁を別途シェードで覆い、吊り下げ式の照明装置として工場やデパートなどで応用することもできる。
上述のシェードまたはカバーは反射防止設計とし、使用者の使用上の快適性を高めることもできる。      
【図面の簡単な説明】
【００１３】
【図１】本考案のＬＥＤ照明装置の立体分解図である。
【図２】本考案のＬＥＤ照明装置の立体外観図である。
【図３】本考案のＬＥＤ照明装置の別の実施構造図である。
【図４】本考案のＬＥＤ照明装置のさらに別の実施構造図である。
【考案を実施するための形態】
【００１４】
図１と図２に本考案の照明装置の立体分解図、立体外観図をそれぞれ示す。本考案の照明装置は、照明本体１、ＬＥＤ発光体２、ランプ座体３、カバー４を含む。
【００１５】
前記照明本体１の構造は、円弧状のカバー体を備え、光源の反射効果を高めるため、該照明本体１内縁に反射処理を施すことができ、上述の反射処理はブラストや電気めっき処理とし、反射の効果を形成して前記ＬＥＤ発光体２の照明輝度を高めることができるが、上述の処理方式に限らないことに注意画必要である。前記照明本体１の底部にＬＥＤ発光体収容部１１を設け、前記ＬＥＤ発光体２を設置することができ、前記ＬＥＤ発光体２はチップ構造形式から成るものとすることができる。前記照明本体１の上端外縁に凹槽１２を周設し、前記カバー４を設置することができる。
【００１６】
前記ランプ座体３は前記照明本体１の底部に設置され、かつ該ランプ座体３は金属材質から成り、前記ＬＥＤ発光体２の発生する熱エネルギーを該ランプ座体３から放熱して排出することができる。前記ランプ座体３上に環状に配置した複数のネジ孔３１を設け、前記照明本体１と前記ＬＥＤ発光体２をネジ部材（図示しない）で該ランプ座体３上に固定することができる。さらに、前記ランプ座体３の外縁にランプ座体固定孔３２を環状に配置して設け、前記照明装置を使用環境中に固定するために用いることができる。
【００１７】
前記カバー４は透明材質とし、ガラスや樹脂から製造することができ、かつ使用者の異なる応用環境に基づきその色を変えることができ、異なる色の透明カバー４の設置により、間接的に前記ＬＥＤ発光体２の光源の色を変化させることができる。
【００１８】
使用者が操作して使用するとき、前記ランプ座体３を壁面上に固定し、同時に前記照明本体１の内縁表面の反射処理により前記ＬＥＤ発光体２の発生する光源の輝度を高め、使用者の照明のニーズを満たすことができる。
【００１９】
図３と図４に本考案の照明装置の実施構造図をそれぞれ示す。本考案は上述の使用のほか、前記照明本体１の外縁を別途シェード５で覆い、吊り下げ式照明装置として工場やデパート内で応用することもできる。または、天井グリッド照明とし、使用範囲をより広げることができる。
【００２０】
前記照明本体１上に設置するカバー４または別途設置するシェード５のいずれも反射防止設計とし、使用者の照明の使用上の快適性を高めることもできる。
【００２１】
上述の詳細な説明は本考案の１つの可能な実施例の具体的な説明であり、この実施例は本考案の特許範囲を制限するものではなく、本考案の技術的要旨を逸脱しない同等効果の実施や変更はすべて本考案の特許範囲に含まれるものとする。
【００２２】
上述をまとめると、本考案は空間形態上新しいだけでなく、従来品と比較して上述のように多くの効果が増進されており、実用新案登録の新規性と進歩性の法定特許要件を満たしているため、法に基づきここに出願を提出する。貴局におかれては本件の実用新案登録出願案を許可し、創作を奨励してけるよう願うものである。
【符号の説明】
【００２３】
１      照明本体
１１    発光体収容部
１２      凹槽
２        ＬＥＤ発光体
３      ランプ座体
３１      ネジ孔
３２      固定孔
４        カバー
５        シェード
【図１】
0003152915.tif 000003
【図２】
0003152915.tif 000004
【図３】
0003152915.tif 000005
【図４】
0003152915.tif 000006
【手続補正書】
【提出日】平成21年6月15日(2009.6.15)
【手続補正１】
【補正対象書類名】実用新案登録請求の範囲
【補正対象項目名】全文
【補正方法】変更
【補正の内容】
【実用新案登録請求の範囲】
【請求項１】
ＬＥＤ照明装置であって、照明本体とランプ座体を含み、
前記照明本体は底部に発光体収容部が設けられ、ＬＥＤ発光体を収容して設置することができ、
前記ランプ座体は前記照明本体の底部に設置され、金属材質から成り、さらに前記ランプ座体上に、前記照明本体を前記ランプ座体上に固定するためのネジ孔が設けられ、前記ランプ座体の外縁に、前記照明装置の固定に使用するためのランプ座体固定孔が環状に設けられたことを特徴とするＬＥＤ照明装置。  
【請求項２】
前記照明本体が円弧状のカバー体であることを特徴とする請求項１に記載のＬＥＤ照明装置。
【請求項３】
前記照明本体の内縁に反射処理を実施したことを特徴とする請求項１または２に記載のＬＥＤ照明装置。  
【請求項４】
前記反射処理が、ブラストまたは電気めっき処理したことを特徴とする請求項３に記載のＬＥＤ照明装置。
【請求項５】
前記照明本体の上端外縁に凹槽を周設し、前記凹槽にカバーを取り付けたことを特徴とする請求項４に記載のＬＥＤ照明装置。
【請求項６】
前記ＬＥＤ発光体がチップ構造形式であることを特徴とする請求項５に記載のＬＥＤ照明装置。
【請求項７】
前記照明本体の外部をシェードで覆ったことを特徴とする請求項６に記載のＬＥＤ照明装置。